(57)【要約】【課題】焼成室を広く見渡すことができる電気魚焼き器を提供すること。【解決手段】上部に開口部２０を有する本体ケース３と下部に開口部２８を有する蓋体４とで構成される焼成室Ｒにヒータ５を設け、前記蓋体４を構成する蓋本体２３の上部の傾斜面３０に窓孔３１を形成し、取付部材としての枠体２６を用いて前記窓孔３１に窓板２４を取り付け、前記下部開口部２８の前縁２８Ａよりも前記焼成室Ｒを前方に膨出させるように、前記蓋本体２３の前部に膨出部３２を設けると共に、この膨出部３２の内側に、前記枠体２６の前枠体３３の前端部である折曲部３９を配置したことで、前記窓板２４から前記焼成室Ｒを広く見通すことができるばかりでなく、前記膨出部３２を前記前枠体３３の重ね代として、前記窓孔３１の前端３１Ａを前方に配置して、前記焼成室Ｒの前部が死角とならないようにすることができる。【選択図】図５
2012085903.tif 000002
【特許請求の範囲】
【請求項１】
上部に開口部を有する本体ケースと、
下部に開口部を有する蓋体と、
これら本体ケースと蓋体とで構成される焼成室に設けられるヒータと、
前記蓋体に形成される窓孔と、
この窓孔に取付部材を用いて取り付けられる窓板とを有して構成される電気魚焼き器において、
前記蓋体の上部に、前記窓孔を設け、
前記蓋体の前部に、この蓋体の下部開口部の前縁よりも前記焼成室を前方に膨出させるように形成した膨出部を設けると共に、
この膨出部の内側に、前記取付部材の前端部を配置したことを特徴とする電気魚焼き器。
【請求項２】
前記窓板の内側に熱反射部材を設けると共に、
この熱反射部材の前端部を、前記膨出部の内側に設けられた前記取付部材の前端部によって保持したことを特徴とする請求項１記載の電気魚焼き器。
【発明の詳細な説明】
【技術分野】
【０００１】
本発明は、本体ケースと、この本体ケースの上方を覆う蓋体との間で魚を焼く、電気魚焼き器に関するものである。
【背景技術】
【０００２】
従来、この種の電気魚焼き器としては、上方が開放した本体ケースと、下方が開放した蓋とを有し、前記本体ケースの上方を前記蓋が開閉自在に覆うように構成し、これらの本体ケースと蓋との間に下ヒータと上ヒータとを設け、これらの両ヒータ間で魚を焼くものが知られている（例えば、特許文献１参照。）。そして、これらの電気魚焼き器の蓋の前部には窓が設けられており、この窓を通して、加熱域（本願発明の焼成室に相当する）で焼かれている魚を確認することができるようになっている。
【先行技術文献】
【特許文献】
【０００３】
【特許文献１】特開２００３−２３０４８８号公報
【発明の概要】
【発明が解決しようとする課題】
【０００４】
しかしながら、このような電気魚焼き器は、前記ヒータから放出された熱が加熱域から逃げないように、前記窓が前記蓋の前部に小さく形成されている。この結果、前記本体ケースと蓋との間に収容された魚等が見えにくかった。特に、複数の魚等が前後に並べられて焼かれる場合、奥に置かれた魚等が前に置かれた魚等に遮られて見えにくかった。
【０００５】
この問題を解決するものとして、蓋体の上部に広い窓を設ける構造が考えられる。しかしながら、窓板を前記蓋体に固定するためには、この蓋体に重ね代が必要となる。このため、前記窓の前端部が、前記蓋体の前端部よりも後方になることで、焼成室の前部が見えにくくなるという新たな問題が生ずる。
【０００６】
本発明は以上の問題点を解決し、焼成室を広く見渡すことができる電気魚焼き器を提供することを目的とする。
【課題を解決するための手段】
【０００７】
本発明の請求項１に記載の電気魚焼き器は、上部に開口部を有する本体ケースと、下部に開口部を有する蓋体と、これら本体ケースと蓋体とで構成される焼成室に設けられるヒータと、前記蓋体に形成される窓孔と、この窓孔に取付部材を用いて取り付けられる窓板とを有して構成される電気魚焼き器において、前記蓋体の上部に、前記窓孔を設け、前記蓋体の前部に、この蓋体の下部開口部の前縁よりも前記焼成室を前方に膨出させるように形成した膨出部を設けると共に、この膨出部の内側に、前記取付部材の前端部を配置したものである。
【０００８】
また、本発明の請求項２に記載の電気魚焼き器は、請求項１において、前記窓板の内側に熱反射部材を設けると共に、この熱反射部材の前端部を、前記膨出部の内側に設けられた前記取付部材の前端部によって保持したものである。
【発明の効果】
【０００９】
本発明の請求項１に記載の電気魚焼き器は、以上のように構成することにより、前記蓋体の上部に形成された前記窓孔に取り付けられた窓板を通して、前記焼成室を広く見通すことができる。そして、前記蓋体の前部に設けられた膨出部を前記取付部材の重ね代とすることで、前記窓孔の前端を前方に配置することができるので、前記焼成室の前部が死角とならないように、広く見通すことができる。
【００１０】
また、前記窓板の内側に熱反射部材を設けると共に、この熱反射部材の前端部を、前記膨出部の内側に設けられた前記取付部材の前端部によって保持したことで、前記焼成室を視認する方向が限定される場合であっても、前記焼成室の前部が死角とならないようにすることができる。
【図面の簡単な説明】
【００１１】
【図１】本発明の一実施形態を示す電気魚焼き器の正面図である。
【図２】同、平面図である。
【図３】同、右側面図である。
【図４】同、Ａ−Ａ断面図である。
【図５】同、図４における要部の拡大図である。
【図６】本発明の他の実施形態を示す電気魚焼き器の要部の拡大断面図である。
【発明を実施するための形態】
【００１２】
以下、本発明の実施形態について、図１乃至図５に基づいて説明する。なお、以下の説明において、上下、前後、及び左右は、正面図である図１に基づいて規定する。即ち、図２において、上は後、下は前である。また、図３において、右は後、左は前である。１は本発明の電気魚焼き器である。この電気魚焼き器１は、基台２と、本体ケース３と、蓋体４と、ヒータ５と、焼き皿６を有して構成される。そして、前記本体ケース３及び蓋体４は、前記基台２に対して着脱可能に取り付けられる。また、前記焼き皿６は、前記本体ケース３に対して着脱可能に取り付けられる。
【００１３】
前記基台２は、基板７と、制御部８と、右把手９と、左把手１０と、ヒンジ部１１と、脚部１２と、下カバー１３とを有して構成される。前記基板７は、正面視で横長の略Ｕ字状に形成される。また、前記基板７の右端の垂直部分には、前記制御部８及び右把手９が取り付けられる。なお、本例では、前記制御部８のケーシング８Ａと前記右把手９は、一体に形成される。前記制御部８の右側面にはダイヤル１４が設けられる。そして、このダイヤル１４の操作によって、前記ヒータ５への通電時間が設定される。一方、前記基板７の左端の垂直部分には、前記左把手１０が取り付けられる。そして、前記右把手９と左把手１０とを把持することで、前記電気魚焼き器１を持ち運ぶことができる。また、前記基板７の後部中央には、前記ヒンジ部１１が取り付けられる。このヒンジ部１１は、固定ヒンジ部１５と、可動ヒンジ部１６とを有して構成される。前記固定ヒンジ部１５は、前記基板７に固定される。一方、前記可動ヒンジ部１６は、前記固定ヒンジ部１５の上端部に、回動軸１７を介して揺動可能に取り付けられる。なお、前記回動軸１７は、左右方向に水平に設けられる。そして、前記固定ヒンジ部１５の正面側には、前記ヒータ５を構成する下ヒータ１８が取り付けられる。また、前記可動ヒンジ部１６の正面側には、前記ヒータ５を構成する上ヒータ１９が取り付けられる。また、前記基板７の底面には、複数の前記脚部１２が設けられる。更に、前記基板７の底面には、前記下カバー１３が設けられる。なお、この下カバー１３は、前記制御部８とヒンジ部１１とを接続する図示しない配線を覆うものである。
【００１４】
前記本体ケース３は、前記基台２の基板７上に、前方から設置される。前記本体ケース３は、上部に開口部２０を有する。また、前記本体ケース３の開口部２０を囲むように、フランジ部２１が全周に亘って形成される。また、前記本体ケース３の後部には、貫通孔２２が形成される。そして、前記本体ケース３を前記基台２に設置すると、前記下ヒータ１８が、前記貫通孔２２を通して前記本体ケース３の内側に挿入される。更に、前記本体ケース３には、前記下ヒータ１８の上方に、前記焼き皿６が着脱可能に設置される。この焼き皿６は、焼かれる魚等を載せるためのものである。なお、前記焼き皿６の代わりに焼き網を用いても良い。
【００１５】
前記蓋体４は、前記可動ヒンジ部１６に取り付けられる。即ち、前記蓋体４は、前記可動ヒンジ部１６に取り付けられた状態において、この可動ヒンジ部１６と共に揺動可能に構成される。前記蓋体４は、蓋本体２３と、窓板２４と、熱反射部材２５と、取付部材としての枠体２６と、把手２７とを有して構成される。前記蓋本体２３は、下部に開口部２８を有する。そして、前記蓋本体２３の下端２３Ａは、前記本体ケース３のフランジ部２１上に載置可能である。また、前記蓋本体２３の後部には、貫通孔２９が形成される。そして、前記蓋体４を前記可動ヒンジ部１６に取り付けると、前記上ヒータ１９が、前記貫通孔２９を通して前記蓋体４の内側に挿入される。また、前記蓋本体２３の上部には、前方が低くなる傾斜面３０が形成される。そして、この傾斜面３０には、長方形状の窓孔３１が形成される。更に、前記蓋本体２３の前部には、前方に突出した膨出部３２が形成される。この膨出部３２の内面の最前端３２Ａは、前記開口部２８の前縁２８Ａよりも前方となる。従って、前記膨出部３２は、前記本体ケース３と蓋体４とで構成される焼成室Ｒを、前記開口部２８の前縁２８Ａよりも前方に膨出させるように形成される。なお、前記窓孔３１の前縁３１Ａは、図５に示すように、前記蓋体４を閉じた状態で、前記開口部２８の前縁よりも僅かに後方となる。
【００１６】
前記窓孔３１には、前記窓板２４が配置される。なお、この窓板２４は、板状の透明な耐熱ガラスによって構成されると共に、その外周に前記枠体２６が設けられる。この枠体２６は、前枠体３３、後枠体３４、及び左右一対の横枠体３５によって構成される。そして、これらの前枠体３３、後枠体３４、横枠体３５は、それぞれビス３６，３７，３８によって、前記窓本体２３に固定される。更に、前記前枠体３３の前部には、下方に折り曲げられた折曲部３９が形成される。また、前記窓板２４の内側には、前記熱反射部材２５が配置される。この熱反射部材２５は、複数の羽板２５Ａを有するルーバー状に形成される。そして、前記熱反射部材２５の前端部２５Ｂは、前記折曲部３９によって保持される。なお、前記熱反射部材２５の前端部２５Ｂ及び前記折曲部３９は、前記膨出部３２によって形成される空間Ｓ内に位置する。更に、前記把手２７は、前記蓋本体２３の両側面の前方寄りに一対設けられている。そして、前記把手２７を掴むことで、前記蓋体４を開閉することができる。なお、４０は前記蓋体４を前記可動ヒンジ部１６に保持させるための摘みである。
【００１７】
次に、本実施形態の作用について説明する。まず使用者は、前記把手２７を把持して持ち上げることで、前記蓋体４を開く。そして、前記本体ケース３に設置された前記焼き皿６上に、図示しない魚等の被焼成物を載せる。なお、前記焼き皿６上には、被焼成物の大きさにもよるが、複数の被焼成物を載せることが可能である。そして、前記把手２７を把持して前記蓋体４を閉じ、前記制御部８のダイヤル１４を操作する。これによって、前記下ヒータ１８及び上ヒータ１９に電力が供給される。なお、前記各ヒータ１８，１９への通電時間は、前記ダイヤル１４を回す角度によって設定される。そして、前記各ヒータ１８，１９に電力が供給されると、これらのヒータ１８，１９が発熱して赤外線が放射される。これによって、前記焼成室Ｒが高温になり、前記被焼成物が焼かれる。
【００１８】
前記焼成室Ｒにおいて、被焼成物が焼成される様子は、前記窓板２４を通して視認することが可能である。前記焼成室Ｒは、ルーバー状に形成された前記熱反射部材２５の複数の羽板２５Ａと略平行な方向Ｖから視認することができる。そして、前述したように、前記蓋本体２３の上面である広い傾斜面３０に前記窓孔３１が形成されるので、この窓孔３１を大きくすることができる。従って、この広い窓孔３１に取り付けられた広い前記窓板２４から、前記焼成室Ｒの広い範囲を視認することができる。特に、前記焼成室Ｒの後部は、従来の構造に比べて大幅に見易くすることができる。なお、前記窓板２４が広くなるということは、前記ヒータ５から放射された赤外線が前記焼成室Ｒの外に逃げやすいことに繋がる虞がある。しかしながら、前述した通り、前記窓板２４の内側に前記熱反射部材２５が設けられていることで、前記ヒータ５、特に上ヒータ１９から上方に放射された赤外線は、前記熱反射部材２５で下方に反射されて、前記被焼成物を加熱する。これによって、前記窓板２４から逃げる赤外線を少なく抑えることができる。
【００１９】
なお、前記蓋本体２３の上面である傾斜面３０に前記窓孔３１を設けるためには、取付部材である前記枠体２６と前記蓋本体２３との重ね代が必要になる。特に、前記蓋本体２３の前部では、前記前枠体３３のための重ね代が必要になる。即ち、前記窓孔３１の前縁３１Ａは、最低でも重ね代の分だけ、前記蓋本体２３の前端よりも後方となる。従って、前記焼成室Ｒの前部が死角となる虞が生じる。特に、前述した通り、前記熱反射部材２５を通して方向Ｖから視認する構造とした場合、前記焼成室Ｒの前部が更に視認しにくくなる。しかしながら、前述した通り、前記蓋本体２３の前部に、前方に突出した前記膨出部３２を形成することで、この膨出部３２が重ね代となる。また、前述した通り、前記熱反射部材２５の前端部２５Ｂも、前記膨出部３２によって形成される空間Ｓ内に位置する。このため、前記前枠体３３の重ね代及び前記熱反射部材２５の前端部２５Ｂを前方に配置することが可能となるので、その分、前記窓孔３１の前縁３１Ａを前方に形成することができる。従って、前記窓孔３１の前縁３１Ａは、前記蓋体４が載せられる前記本体ケース３、ひいては、この本体ケース３に設置される前記焼き皿６に対し、相対的に前方に形成される。これによって、前記焼成室Ｒは、その前方の死角が減ぜられるので、前記焼成室Ｒの前部も比較的視認しやすくすることができる。
【００２０】
そして、設定された前記各ヒータ１８，１９への通電時間が経過すると、これら各ヒータ１８，１９への通電が遮断される。これによって、前記焼成室Ｒに収容された前記被焼成物の焼成が終了する。そして、前記把手２７を把持して持ち上げることで、前記蓋体４を開き、前記本体ケース３に設置された前記焼き皿６上の被焼成物を取り出すことができる。
【００２１】
以上のように、本発明は、上部に開口部２０を有する本体ケース３と、下部に開口部２８を有する蓋体４と、これら本体ケース３と蓋体４とで構成される焼成室Ｒに設けられるヒータ５と、前記蓋体４の蓋本体２３に形成される窓孔３１と、この窓孔３１に取付部材としての枠体２６を用いて取り付けられる窓板２４とを有して構成される電気魚焼き器１において、前記蓋本体２３の上部の傾斜面３０に前記窓孔３１を設け、前記蓋本体２３の前部に、この蓋本体２３の下部開口部２８の前縁２８Ａよりも前記焼成室Ｒ空間を前方に膨出させるように形成した膨出部３２を設けると共に、この膨出部３２の内側に、枠体２６の前枠体３３の前端部である折曲部３９を配置したことで、前記窓板２４を通して、前記焼成室Ｒ内を広く見通すことができるばかりでなく、前記膨出部３２を前記前枠体３３の重ね代とすることで、前記窓孔３１の前端３１Ａを前方に配置することができるので、前記焼成室Ｒ内の前部が死角とならないように、広く見通すことができるものである。
【００２２】
また、前記窓板２４の内側に熱反射部材２５を設けると共に、この熱反射部材２５の前端部２５Ｂを、前記膨出部３２の内側に設けられた前記前枠体３３の折曲部３９によって保持したことで、前記焼成室Ｒ内を視認する方向が限定される場合であっても、前記焼成室Ｒの前部が死角とならないようにすることができる。
【００２３】
なお、本発明は以上の実施形態に限定されるものではなく、発明の要旨の範囲内で種々の変形実施が可能である。例えば、上記実施形態では、熱反射部材として、複数の羽板を平行に設けたルーバー状の構造体を用いたが、図６に示すように、前方の羽板ほど水平に対する傾斜角度が大きくなり、後方の羽板ほど水平に対する傾斜角度が小さくなるようにした構造体としてもよい。このように構成すれば、焼成室の前部の死角を、より小さくすることができる。また、前記窓板の表面に、赤外線反射層を設けてもよい。
【符号の説明】
【００２４】
１  電気魚焼き器
３  本体ケース
４  蓋体
５  ヒータ
１８  下ヒータ
１９  上ヒータ
２０  開口部
２４  窓板
２５  熱反射部材
２５Ｂ  前端部
２６  枠体（取付部材）
２８  開口部
２８Ａ  前縁
３０  傾斜面（蓋体の上部）
３１  窓孔
３２  膨出部
３３  前枠体（取付部材）
３９  折曲部（取付部材の前端部）
Ｒ  焼成室
Ｓ  空間
【図１】
2012085903.tif 000003
【図２】
2012085903.tif 000004
【図３】
2012085903.tif 000005
【図４】
2012085903.tif 000006
【図５】
2012085903.tif 000007
【図６】
2012085903.tif 000008